(57)【要約】【課題】簡単な構成でプラグ部を識別する。【解決手段】電子機器は、ジャック部の第２端子から音声信号を入力する音声入力端子と、第１端子と接続される音声出力端子とを有する制御部を、備える。この制御部は、プラグ部の装着が検出されたとき、予め定めた音声を表す音声信号を音声出力端子から出力する所定音声出力手段と、所定音声出力手段により音声信号が出力されるとき、音声入力端子から入力する音声信号と、予め定めた音声を表す音声信号とを比較する比較手段と、比較の結果に基づき、装着されているプラグ部の種類を判定する判定手段と、を有する。【選択図】図３
2014171175.tif 000002
【特許請求の範囲】
【請求項１】
オーディオ機器のプラグ部が着脱可能に装着されるジャック部を備える電子機器であって、
前記プラグ部は、端子が配置される第１位置および第２位置を有し、
前記第１位置にはイヤホン端子が配置され、且つ前記第２位置には当該プラグ部の種類に応じてマイク端子と、前記イヤホン端子からの音声信号を導出する導出端子とのいずれか一方が配置され、
前記ジャック部は、装着された前記プラグ部の前記第１位置の前記イヤホン端子が接続される第１端子と、前記第２位置の端子が接続される第２端子とを有し、
前記電子機器は、
前記ジャック部の前記第２端子から音声信号を入力する音声入力端子と、前記第１端子と接続される音声出力端子とを有する制御部を、備え、
前記制御部は、
前記プラグ部の装着が検出されたとき、予め定めた音声を表す音声信号を前記音声出力端子から出力する所定音声出力手段と、
前記所定音声出力手段により音声信号が出力されるとき、前記音声入力端子から入力する音声信号と、前記予め定めた音声を表す音声信号とを比較する比較手段と、
比較の結果に基づき、装着されている前記プラグ部の種類を判定する判定手段と、を有する、電子機器。
【請求項２】
前記プラグ部は、端子が配置される第３位置をさらに有し、
前記第１位置には前記イヤホン端子が配置され、前記第２位置には当該プラグ部の種類に応じて前記マイク端子と前記導出端子とのいずれか一方が配置され、前記第３位置には当該一方とは異なる他方が配置され、
前記ジャック部は、装着された前記プラグ部の前記第３位置の端子が接続される第３端子をさらに有し、
前記電子機器は、
前記制御部の前記音声入力端子に、前記ジャック部の前記第２端子および前記第３端子の一方を切替えて接続するための切替部を、さらに備え、
前記制御部は、
前記判定手段により判定された種類に基づき、前記音声入力端子に前記第２端子および前記第３端子の一方を切替えて接続するように、前記切替部を制御する、請求項１に記載の電子機器。
【請求項３】
前記予め定めた音声を表す音声信号は、可聴域を除く周波数帯域を有する、請求項１または２に記載の電子機器。
【請求項４】
音源データを格納する格納部をさらに備え、
前記所定音声出力手段は、
前記格納部の前記音源データから、前記予め定めた音声を表す音声信号を取得し、前記音声出力端子から出力する、請求項１から３のいずれかに記載の電子機器。
【請求項５】
前記比較手段は、
前記所定音声出力手段により音声信号が出力されるとき、前記音声入力端子から入力する音声信号と、前記格納部の前記音源データから取得した前記予め定めた音声を表す音声信号とを比較する、請求項４に記載の電子機器。
【発明の詳細な説明】
【技術分野】
【０００１】
本発明は、装着されるプラグの種類を識別する電子機器に関する。
【背景技術】
【０００２】
イヤホンなどのプラグを機器本体にジャックなどのイヤホン接続部に差し込んで使用する場合に、挿入されたプラグを識別する方法が、特許文献１（特開２００８−３０１０６８号公報）、特許文献２（特開平１１−１６２５７４号公報）および特許文献３（特開２００９−１９４８９０号公報）に提案されている。
【０００３】
特許文献１では、マイク端子の電圧変化を検出して、接続されたのがイヤホンなのかイヤホンマイクなのかを判別する。また、特許文献２では、電位の比較回路の比較結果に応じてスイッチを切り換えて適正な出力回路に接続する。また、特許文献３では、各ラインのインピーダンスを電圧値に変換し、電圧閾値の比較結果に基づき、オーディオコーデックとの接続および信号の入出力レベルを切り替える。
【先行技術文献】
【特許文献】
【０００４】
【特許文献１】特開２００８−３０１０６８号公報
【特許文献２】特開平１１−１６２５７４号公報
【特許文献３】特開２００９−１９４８９０号公報
【発明の概要】
【発明が解決しようとする課題】
【０００５】
図６は、従来のマイク付きステレオイヤホンの４極プラグの外観を模式的に示す図である。図６（Ａ）と（Ｂ）に示すように、プラグのピンアサインに対しての統一規格は無く、プラグ先端から軸が延びる根基の方向に（L）（R）（G）（M）の順でピンアサインされた種類（以下、Ａタイプと称する）と、（L）（R）（M）（G）にピンアサインされた種類（以下、Ｂタイプと称する）の２種類が主流となっている。なお、（L）は左チャネル、（R）は右チャネル、（M）はマイクチャネル、および（G）が接地チャネルの各端子を示し、端子間は、絶縁体で電気的に分離されている。
【０００６】
したがって、プラグが挿入される本体機器側のジャックがＡタイプ用であれば、Ａタイプのプラグを有するマイク付きステレオイヤホンを使用する必要があり、本体機器側のジャックがＢタイプ用であれば、Ｂタイプのプラグを有するマイク付きステレオイヤホンを使用しなければならない。本体機器側のジャックとタイプの違うプラグを有したマイク付きステレオイヤホンを使用した場合には、イヤホンからは正常なレベルの音声が発生せず、また正確なマイク信号が発生しない。
【０００７】
上記の特許文献１〜３で提案された方式を応用すれば、イヤホンが挿入された際の電圧変化を測定し自動的に回路接続を切り替える機能の実現は可能であるが、電位を比較するための回路ブロックを別途必要とするため、スマートフォン等のモバイル機器へ搭載した場合には、小型化が阻害される。
【０００８】
それゆえに本発明の目的は、簡単な構成でプラグ部を識別する電子機器を提供することである。
【課題を解決するための手段】
【０００９】
この発明のある局面に従えば、オーディオ機器のプラグ部が着脱可能に装着されるジャック部を備える電子機器が提供される。
【００１０】
プラグ部は、端子が配置される第１位置および第２位置を有し、この第１位置にはイヤホン端子が配置され、且つ第２位置には当該プラグ部の種類に応じてマイク端子と、イヤホン端子からの音声信号を導出する導出端子とのいずれか一方が配置される。
【００１１】
ジャック部は、装着されたプラグ部の第１位置のイヤホン端子が接続される第１端子と、第２位置の端子が接続される第２端子とを有する。
【００１２】
電子機器は、ジャック部の第２端子から音声信号を入力する音声入力端子と、第１端子と接続される音声出力端子とを有する制御部を、備える。この制御部は、プラグ部の装着が検出されたとき、予め定めた音声を表す音声信号を音声出力端子から出力する所定音声出力手段と、所定音声出力手段により音声信号が出力されるとき、音声入力端子から入力する音声信号と、予め定めた音声を表す音声信号とを比較する比較手段と、比較の結果に基づき、装着されているプラグ部の種類を判定する判定手段と、を有する。
【発明の効果】
【００１３】
本発明によれば、音声入力端子から入力する音声信号と、予め定めた音声を表す音声信号とを比較した結果に基づき、装着されているプラグ部の種類を判定することにより、簡単な構成でプラグ部を識別する。
【図面の簡単な説明】
【００１４】
【図１】本実施の形態に係るスマートフォンの外観図である。
【図２】本実施の形態に係るスマートフォンのハードウェア構成図である。
【図３】本実施の形態に係るイヤホンジャック部における端子の接続切り替えを説明する図である。
【図４】本実施の形態に係る処理を示すフローチャートである。
【図５】本実施の形態に係るイヤホンジャック部を接続したときの動作を説明するための図である。
【図６】従来のマイク付きステレオイヤホンの４極プラグの外観を模式的に示す図である。
【発明を実施するための形態】
【００１５】
本発明の実施の形態について図面を参照しながら詳細に説明する。なお、各図中同一または相当部分には同一符号を付してその説明は繰返さない。
【００１６】
本実施の形態では、プラグ部の種類（タイプともいう）識別機能を有する電子機器として、マイク付きイヤホンのプラグ部が着脱可能に挿入されるジャック部を有したスマートフォンを例示するが、これに限定されない。たとえば、Personal  Digital  Assistant（以下、ＰＤＡと称する）、タブレット端末、携帯電話などを含む携帯型の端末、および音声録音再生機器など、または携帯型に限定されない据え置き型の端末であってもよい。
【００１７】
また、プラグ部を有する機器としてマイク付きイヤホンを例示したが、これに限定されず、電子機器のジャック部に着脱可能に装着されるプラグ部を有して、これを用いて電子機器との間で音声を入出力するためのオーディオ機器全般に適用することができる。
【００１８】
（外観）
図１には、本実施の形態に係るスマートフォン３００の外観が示される。図１を参照して、スマートフォン３００は筐体を備え、筐体の主表面には表示部１１３、音声を収音するためのマイク５０、音声を送出するためのスピーカ５１、および電源ボタンなどを含む各種キーからなる操作部４を含む。また、筐体の側面には、後述のメモリカード１０８を着脱可能に挿入するためのメモリカード挿入部９０、およびマイク付きステレオイヤホン５４のプラグ部５５が着脱可能に装着されるイヤホンジャック部５３を含む。
【００１９】
表示部１１３は、Liquid  Crystal  Display（以下、ＬＣＤと称する）とタッチパネルとを一体的に備えて、ユーザは表示される情報に従ってタッチパネルを操作することにより、指示を入力することができる。
【００２０】
マイク付きステレオイヤホン５４は、ケーブルの一方端において耳に装着されるイヤホン５３Ｌと５３Ｒを有し、他方端においてプラグ部５５を有し、さらにケーブルの途中にマイク５２を有する。マイク付きステレオイヤホン５４の使用時には、ユーザの耳に装着されたイヤホン５３Ｌおよび５３Ｒから音声が出力されて、マイク５２によりユーザの発話による音声等が収音される。なお、マイク付きステレオイヤホン５４に代替してマイク付きヘッドホンを用いてもよい。
【００２１】
本実施の形態では、説明を簡単にするために、音声の入出力は、マイク５０およびスピーカ５１ではなく、マイク付きステレオイヤホン５４を用いてなされる場合を想定する。
【００２２】
（ハードウェア構成）
図２には、スマートフォン３００のハードウェア構成が示される。スマートフォン３００は、Central  Processing  Unit（以下、ＣＰＵと称する）からなるプロセッサである主制御部１００、Random  Access  Memory（以下、ＲＡＭと称する）、Read  Only  Memory（以下、ＲＯＭと称する）および不揮発性のメモリからなる記憶部１０２、操作部４からのキー操作を受け付けて、受け付けた操作に基づいた指示（情報）を出力するキー入力部１０３、表示部１１３のタッチパネルを介した操作を受け付けて、受け付けた操作に基づいた指示（情報）を出力する操作受付部１１１、スピーカ５１またはイヤホンジャック部５３に音声信号を出力する音声出力部１０４、および外部メモリInterface（以下、Ｉ／Ｆと称する）部１０７を含む。外部Ｉ／Ｆ部１０７は、メモリカード１０８が着脱可能に装着されて、装着されたメモリカード１０８のデータをアクセス（読み書き）するためのドライバ回路などを含む。
【００２３】
スマートフォン３００はさらに、表示部１１３のＬＣＤの表示動作を制御するドライバ回路などの表示制御部１１０、マイク５０または５２に対応の音声入力部１１２、ネットワークを介した通信を制御するための変調・復調回路などを含む通信部１１４、各部に電力を供給する電池などの電源部１１５、および時間を計るタイマ１１６を含む。
【００２４】
（イヤホンジャック部の接続切り替え）
図３は、本実施の形態に係るイヤホンジャック部５３における端子の接続切り替えを説明する図である。図３（Ａ）には、イヤホンジャック部５３の周辺回路であって、イヤホンジャック部５３の端子とプラグ部５５の端子（チャンネル）との接続切り替えに関連する回路が示される。関連する周辺回路として、主制御部１００、コーデック部２０１、切替部２０２、および切替部２０２を制御するための切替制御部２０３が示される。主制御部１００のＣＰＵは、コーデック部２０１および切替制御部２０３を制御する。ここでは、説明のために、主制御部１００とコーデック部２０１と切替制御部２０３とは個別に備えたが、主制御部１００はコーデック部２０１と切替制御部２０３の機能を一体的に備えて制御部として提供されてもよい。
【００２５】
ここで図６を参照して、４極式のプラグ部５５は、軸の先端方向から根基方向に向かって端子が配置される第１位置、第２位置および第３位置を有する。この第１位置にはイヤホン端子に相当する左チャネル（L），右チャネル（R）が配置される。一方、第２位置には当該プラグ部５５がＡタイプ・Ｂタイプのいずれであるかに応じてマイクチャネル（M）と、イヤホン端子からの音声信号を接地側に導出する導出端子に相当のグランドチャネル（G）とのいずれか一方が配置される。
【００２６】
イヤホンジャック部５３は、４極式のプラグ部５５がイヤホンジャック部５３の図示しない穴に挿入されて装着されたときイヤホン端子の左チャネル（L），右チャネル（R）と接続される第１の端子に相当する端子５３１，５３２、および端子５３３，５３４を有する。端子５３３，５３４の一方は第２の端子に相当し、他方は第３の端子に相当する。端子５３３と５３４は、挿入されるプラグ部５５がＡタイプであればマイクチャネル（M）とグランドチャネル（G）にそれぞれ接続され、Ｂタイプであればグランドチャネル（G）とマイクチャネル（M）にそれぞれ接続される。
【００２７】
切替部２０２は、後述の端子Micと接続されて、接続された端子Micに音声信号を出力するための接点（端子）Ｍ、接地電位（GND）に接続される接点（端子）Ｇ、ならびにイヤホンジャック部５３の端子５３３および５３４のそれぞれに接続される接点（端子）Ｇ´とＭ´を有する。
【００２８】
コーデック部２０１は、音声信号の処理回路ブロックである。具体的には、切替部２０２の接点Ｍと接続されて、接点Ｍから音声信号を入力するための端子Mic、イヤホンジャック部５３の端子５３１と５３２のそれぞれに接続されてイヤホンジャック部５３へ音声信号を出力するための端子ORとOL、およびグランド（接地電位）に接続された端子GNDを備える。さらに、主制御部１００からのデジタルデータを音声信号に変換して端子ORとOLを介し出力する復号化回路（図示せず）、および端子Micを介し入力する音声信号をデジタルデータに変換して主制御部１００に出力する符号化回路（図示せず）を有する。
【００２９】
動作において、切替制御部２０３は、主制御部１００から指示信号２０７を入力する毎に、指示信号２０７に基づき制御信号２０８を生成し内部レジスタ回路（図示せず）に記憶する。レジスタ回路の制御信号２０８は切替部２０２に出力される。制御信号２０８は、たとえば “High”と“Low”の２値レベルを示す。主制御部１００から新たな指示信号２０７が出力されるまで、レジスタ回路の制御信号２０８は直前の指示信号２０７によるレベル（“Low”または“High”）を保持する。
【００３０】
切替部２０２は、切替制御部２０３からの制御信号２０８に基づき、コーデック部２０１とイヤホンジャック部５３との間の音声入力経路である音声パスを切り替える。具体的には、切替部２０２は、制御信号２０８が“High”であるとき、Ａタイプの音声パスのために接点ＭとＭ´を接続し、且つ接点ＧとＧ´を接続し（図３（Ｂ）の実線を参照）、“Low”であるとき、Ｂタイプの音声パスのために接点ＭとＧ´を接続し、且つ接点ＧとＭ´を接続する（図３（Ｂ）の破線を参照）ように切り替える。
【００３１】
（処理フロー）
図４は、本実施の形態に係る処理を示すフローチャートである。当該フローチャートに従うプログラムは、予め記憶部１０２に格納されて、主制御部１００のＣＰＵがプログラムを記憶部１０２から読み出し、プログラムの命令を実行し、実行結果に従い各部を制御することにより処理が実現される。
【００３２】
まず、切替部２０２は図３（Ｂ）の実線で示すＡタイプの音声パスの状態にあると想定する。このとき、ユーザがスマートフォン３００のイヤホンジャック部５３にマイク付きステレオイヤホン５４のプラグ部５５を装着する。装着したとき、プラグ部５５の端子はイヤホンジャック部５３の端子と接続し、両端子間の接続部と切替部２０２を経由して、コーデック部２０１の入力端子Micに印加されるバイアス電圧は変化する。
【００３３】
主制御部１００のＣＰＵは、イヤホンジャック部５３にプラグ部５５が装着されたか否かを判定する（ステップＳ１００）。装着されたと判定しない（ステップＳ１００でＮＯ）ときは、ステップＳ１００の処理が繰り返されるが、装着されたと判定すると（ステップＳ１００でＹＥＳ）、ステップＳ１０３に移行する。なお、装着判定に関しては従来方式を用いることができる。具体的には、ＣＰＵはコーデック部２０１の出力から入力端子Micの電位の変化を検出すると、イヤホンジャック部５３にプラグ部５５が装着されたと判定する。この判定には、マイクバイアス電圧の変化に限らず、スイッチ式を用いてもよい。
【００３４】
ＣＰＵは、プラグ部５５の装着を検出すると、予め定めた音声を示す音声信号を出力する（ステップＳ１０３）。具体的には、ＣＰＵは、記憶部１０２の所定領域から予め格納されている音源データを読み出し、コーデック部２０１に出力する。コーデック部２０１は、音源データを音声信号に復号し、復号後の音声信号を端子ORまたは端子OLを介し出力する。端子ORまたはOLからの音声信号は、イヤホンジャック部５３の端子５３１または５３２を介して、イヤホン５３Ｌまたは５３Ｒからユーザの耳に出力される。本実施の形態では、音源データは、プラグ部５５のタイプを判定するためのデータであって、人間の聴覚では通常聞くことのできない可聴周波数帯域を除く周波数帯域の音声信号に相当する。したがって、ユーザに耳障りな音による違和感・不快感を与えることなく、プラグ部５５のタイプ判定が可能となる。
【００３５】
音源データによる音声を出力した後は、ＣＰＵは音声を比較処理する（ステップＳ１０６）。具体的には、イヤホンジャック部５３の端子５３４からの信号は切替部２０２（端子Ｍ´とＭの音声パス）を介しコーデック部２０１の端子Micに入力する。コーデック部２０１は入力した信号を符号化し、符号化後のデジタルデータを主制御部１００に出力する。主制御部１００のＣＰＵは、コーデック部２０１からのデジタルデータと、記憶部１０２の所定記憶領域から読み出した判定用の音源データとをパターンマッチングにより比較し、比較結果から、両者が一致する、または類似するかを判定する（ステップＳ１０９）。
【００３６】
一致も類似もしないと判定した場合には（ステップＳ１０９でＮＯ）、ＣＰＵは指示信号２０７を変更することなく、処理を終了する。つまり、両者が異なっていると判定した場合は、Ａタイプの音声パス用の切替部２０２（図３（Ｂ）の実線を参照）に合致したタイプのプラグ部５５が装着されている場合である。したがって、ＣＰＵは指示信号２０７を変更することなく、すなわち切替部２０２は端子の接続切り替えはせずに（図３（Ｂ）の実線の音声パスのまま）、処理を終了する。
【００３７】
一方、一致または類似すると判定した場合には（ステップＳ１０９でＹＥＳ）、ステップＳ１１２に移行する。すなわち、切替部２０２の現在のＡタイプの音声パス（図３（Ｂ）の実線を参照）と異なったタイプのプラグ部５５が接続されていると判定する。たとえば、イヤホンジャック部５３に、Ｂタイプのプラグ部５５が装着された場合が相当する。判定結果に応じて主制御部１００のＣＰＵは切替制御部２０３に接続切替を指示するための指示信号２０７を出力する（ステップＳ１１２）。
【００３８】
切替制御部２０３は、内部レジスタに記憶されていた指示信号２０７の値と、新たに入力した指示信号２０７の値とを比較し、比較結果から、両信号は相違すると判定した場合には、今回入力した指示信号を内部レジスタに格納する。これにより、内部レジスタの信号は更新される。したがって、切替制御部２０３からは、内部レジスタに記憶した更新後の指示信号２０７に基づき、“High”→“Low”に更新された新たな制御信号２０８が出力される。
【００３９】
切替部２０２は、“High”→“Low”に更新された制御信号２０８に基づき端子の接続を切り替える。具体的には、接点Ｍを接点Ｍ´→Ｇ´へ接続するように切り替え、且つ接点Ｇを接点Ｇ´→接点Ｍ´へ接続するように切り替える（ステップＳ１１５）。
【００４０】
その後は、端子Micに印加されるバイアス電圧の変化からプラグ部５５が抜けたと判定されるまでの間、内部レジスタの値であるタイプ判定結果は保持されて、それに基づく音声パスの接続の切替態様は保持される。したがって、ＡタイプおよびＢタイプいずれのプラグ部５５であっても、切替部２０２によって当該タイプに合致するように音声パスを自動的に切り替えることが可能となる。
【００４１】
（接続切り替えの態様）
図５は、本実施の形態に係るイヤホンジャック部５３を接続したときの動作を説明するための図である。
【００４２】
マイク付きステレオイヤホン５４のイヤホン５３Ｌおよび５３Ｒのそれぞれは、音声を伝達するために振動するスピーカ振動板と、当該振動板に関連してボイスコイル（通常１６〜３２Ω程度）を有する。
【００４３】
切替部２０２がＡタイプの音声パス（図３（Ｂ）の実線）であるときに、Ａタイプのプラグ部５５が装着された場合には（図５（Ａ）参照）、または切替部２０２がＢタイプの音声パス（図３（Ｂ）の破線）であるときに、Ｂタイプのプラグ部５５が接続された場合には（図５（Ｂ）参照）、端子ORまたはOLから出力された音声信号が、イヤホン５３Ｌまたは５３Ｒのボイスコイルを流れるとき振動板が振動し耳に音が伝達される。また、マイク５２により収音された音声信号は、プラグ部５５の端子→イヤホンジャック部５３の端子→切替部２０２の接点Ｍ→コーデック部２０１の端子Micを経由し主制御部１００に入力する。この場合には、イヤホン５３Ｌまたは５３Ｒへ出力された音声信号が端子Micに入力するような後述の回路ループは構成されない。その結果、上記の比較処理では、主制御部１００は、マイク５２により実際に収音された音声と音源データによる音声とを比較し、スマートフォン３００の音声パスのタイプと合致したタイプのプラグ部５５が接続されていると判定する。
【００４４】
これに対して、切替部２０２がＡタイプの音声パス（図３（Ｂ）の実線）であるときに、Ｂタイプのプラグ部５５が接続された場合には（図５（Ｃ）参照）、または切替部２０２がＢタイプの音声パス（図３（Ｂ）の破線）であるときに、Ａタイプのプラグ部５５が接続された場合には（図５（Ｄ）参照）、端子ORまたはOLから出力された音声信号が、イヤホン５３Ｌまたは５３Ｒのボイスコイルを流れるとき振動板が振動し耳に音が伝達されるとともに、当該音声信号はイヤホンのボイスコイルを通って、プラグ部５５のグランド端子→イヤホンジャック部５３の端子→切替部２０２の接点Ｍ→コーデック部２０１の端子Micを経由し主制御部１００に入力するような回路ループが形成されて、一方のマイク５２により収音された音声信号は切替部２０２の接地端子に導出されて、主制御部１００には入力しない。その結果、上記の比較処理では、主制御部１００は、回路ループを経由して帰還した音声（マイク５２により実際に収音された音声ではない）と音源データによる音声とを比較し、両音声は一致する、すなわち切替部２０２が音声パスのタイプとは異なるタイプのプラグ部５５が接続されていると判定する。
【００４５】
このように比較処理の結果に基づき、イヤホンジャック部５３の音声信号を入力するための端子５３３（５３４）に接続されたプラグ部５５側の端子がマイクチャネル（M）であるか否か、すなわちプラグ部５５のタイプを判定することができる。
【００４６】
タイプの異なったプラグ部５５が接続されていると判定したとき、ＣＰＵは新たな指示信号２０７を出力する。これにより、切替制御部２０３はチャネル（L）（R）（G）（M）の４本の回路接続のうち、チャネル（G）と（M）の2本の回路接続を入れ替えるような制御信号２０８を出力する。切替部２０２は制御信号２０８に基づき音声パスを切り替える。つまり、図３（Ｂ）の実線の接続であった場合には破線の接続に切替えられ、破線の接続であった場合には実線の接続に切替えられる。音声パス切替えにより上記の回路ループは解消される。その結果、端子Micには回路ループを経由して帰還した音声ではなく、マイク５２で収音された音声が入力する。したがって、プラグ部５５のタイプにかかわらず、ユーザは正常に音声を聞くことができ、また音声を収音させることができる。
【００４７】
（実施の形態の効果）
上記のタイプ判定は、スマートフォン３００等の端末に標準的に搭載されている部品（コーデック部２０１、ＣＰＵなど）により実現できるので、特別な回路の追加等は不要であり、端末の小型・軽量化が阻害されることはない。
【００４８】
また、タイプの判定には、通常人間の耳で聴覚することのできない周波数帯域の音声信号を使用することにより、マイク付きステレオイヤホン５４を装着したユーザに意図しない音声による違和感・不快感を与えることは無い。それゆえに、判定が実行されていることをユーザに気づかれることも無い。
【００４９】
このように本実施の形態では、スマートフォン３００内の音声パスを、装着されているマイク付きステレオイヤホン５４のプラグ部５５の仕様（ＡタイプまたはＢタイプ）を判定し、判定したタイプに合致するように切り替えることが可能となる。この結果、ユーザがスマートフォン３００のタイプに合致したプラグ部５５を有するマイク付きステレオイヤホン５４に交換する必要はなく、また、交換しなくても従来のようなタイプ不整合による課題（イヤホンからは正常な音声レベルの音声が発生せず、また正確なマイク信号が発生しない）が生じることもない。
【００５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５１】
４  操作部、５０，５２  マイク、５１  スピーカ、５３  イヤホンジャック部、５３Ｌ，５３Ｒ  イヤホン、５４  マイク付きステレオイヤホン、５５  プラグ部、１００  主制御部、２０１  コーデック部、２０２  切替部、２０３  切替制御部、２０７  指示信号、２０８  制御信号、３００  スマートフォン。
【図１】
2014171175.tif 000003
【図２】
2014171175.tif 000004
【図３】
2014171175.tif 000005
【図４】
2014171175.tif 000006
【図５】
2014171175.tif 000007
【図６】
2014171175.tif 000008